(57)【要約】【課題】容易に着脱でき、装着して食事をしても違和感がなく、コストが安く、手が蒸れてしまうことがない食事用手袋を提供する。【解決手段】食事用手袋１の連繋部３の左右には、袋状部５、７を構成する裏シート５ａ、７ａが連繋部３に連続して設けられている。更に、裏シート５ａ、７ａの左右の端部には折り曲げ部５ｂ、７ｂが形成されており、裏シート５ａ、７ａに重なる表シート５ｃ、７ｃが設けられている。表シート５ｃ、７ｃは薄紙としてのナプキン紙によって構成され、裏シート５ａ、７ａは薄紙としての和紙によって構成されている。また裏シート５ａ、７ａは非フッ素系耐油紙であり、耐油性を有している。食事用手袋１は、1枚の薄紙によって構成してもよく、また複数枚の薄紙を接合して構成してもよい。またナプキン紙、和紙以外の材料によって構成してもよい。【選択図】        図１
2010270422.tif 000002
【特許請求の範囲】
【請求項１】
表シートと裏シートとから成り指を入れる少なくとも二つの袋状部と、前記袋状部に形成された指の挿入口と、前記挿入口どうしが間隔をあけて対向する状態で袋状部どうしを繋ぐ連繋部とを有し、且つ薄紙によって構成されており、前記袋状部の一方側へ親指を入れ、他方側の袋状部へ親指以外の指を入れ、連繋部を折り曲げて袋状部の対向面で食品を挟んで持つことを特徴とする食事用手袋。
【請求項２】
請求項１に記載した食事用手袋において、袋状部の縁の少なくとも一部は曲線状に形成されていることを特徴とする食事用手袋。
【請求項３】
請求項１または２に記載した食事用手袋において、連繋部は袋状部どうしが互いに重なる状態に折り曲げられて、二つの袋状部は挿入口の形成された部位以外の縁部分どうしが容易に剥離できる状態で接着されていることを特徴とする食事用手袋。
【請求項４】
請求項１から３のいずれかに記載した食事用手袋において、連繋部に切り欠きが形成されていることを特徴とする食事用手袋。
【請求項５】
請求項１から４のいずれかに記載した食事用手袋において、袋状部には折り目をいれるための折り目用目印が設けられていることを特徴とする食事用手袋。
【請求項６】
請求項１から５のいずれかに記載した食事用手袋において、袋状部には通気孔が形成されていることを特徴とする食事用手袋。
【請求項７】
請求項１から６のいずれかに記載した食事用手袋において、袋状部の内部には表シートと裏シートの一部を連結するシール部が形成されていることを特徴とする食事用手袋。
【請求項８】
請求項１から７のいずれかに記載した食事用手袋において、袋状部は先端部へいくに従って幅寸法が小さくなる先細り形状に形成されていることを特徴とする食事用手袋。
【請求項９】
請求項１から８のいずれかに記載した食事用手袋において、連繋部に破断用の弱化線が形成されていることを特徴とする食事用手袋。
【請求項１０】
請求項１から９のいずれかに記載した食事用手袋において、袋状部と連繋部を横断する破断用の弱化線が形成され、且つ前記袋状部に形成された弱化線の周辺にシール部が形成されており、前記袋状部を弱化線で破断しても破断部分で開放されず封止された状態となることを特徴とする食事用手袋。
【請求項１１】
請求項１から１０のいずれかに記載した食事用手袋において、連繋部には、連繋部の一部を破断するときに破断進行方向の途中に位置し、破断を止める孔が形成されていることを特徴とする食事用手袋。
【請求項１２】
請求項１から１１のいずれかに記載した食事用手袋において、袋状部にはマチが形成されていることを特徴とする食事用手袋。
【請求項１３】
請求項１から１２のいずれかに記載した食事用手袋において、袋状部に指を入れて連繋部を折り曲げたとき互いに対向する袋状部の対向面を耐油性の材料によって構成したことを特徴とする食事用手袋。
【発明の詳細な説明】
【技術分野】
【０００１】
本発明はフライドチキン、ドーナツ等を手で掴んで食べる際に使用する食事用手袋に関するものである。
【背景技術】
【０００２】
ナイフやフォークを使わずに手で掴んで食べる料理があり、この種の料理にはフライドチキンやドーナツ等があり、これらの料理は油で揚げられているため、そのまま手で掴むと油等が手に付いてしまう。
そこで特許文献１に記載された食事用手袋がある。この食事用手袋は上記のフライドチキン等を食べる際に装着するものである。
【先行技術文献】
【特許文献】
【０００３】
【特許文献１】実用新案登録第３００１５３１号公報
【発明の概要】
【発明が解決しようとする課題】
【０００４】
しかしながら、この特許文献１に記載された食事用手袋は、エストラマーやポリエチレン等の合成樹脂によって構成され、手をすっぽり覆うように装着するため、着脱するのが大変である。そればかりか、このような食事用手袋を装着して食事をするのはそもそも違和感がある。
食事用手袋は衛生面から使い捨てが望ましい。しかし、従来の食事用手袋は合成樹脂で構成されている等の理由でコストが高く、使い捨てするのが難しい。特にファーストフード店で上記のような食事用手袋を使い捨てするのはコストの面から困難である。
【０００５】
また、合成樹脂製の食事用手袋で、手をすっぽり覆うと短時間で手が蒸れてしまうという問題もある。
本発明は上記従来の問題点に着目して為されたものであり、容易に着脱でき、装着して食事をしても違和感がなく、コストが安く、手が蒸れてしまうことがない食事用手袋を提供することを、その目的とする。
【課題を解決するための手段】
【０００６】
本発明は上記課題を解決するためになされたものであり、請求項１の発明は、表シートと裏シートとから成り指を入れる少なくとも二つの袋状部と、前記袋状部に形成された指の挿入口と、前記挿入口どうしが間隔をあけて対向する状態で袋状部どうしを繋ぐ連繋部とを有し、且つ薄紙によって構成されており、前記袋状部の一方側へ親指を入れ、他方側の袋状部へ親指以外の指を入れ、連繋部を折り曲げて袋状部の対向面で食品を挟んで持つことを特徴とする食事用手袋である。
【０００７】
請求項２の発明は、請求項１に記載した食事用手袋において、袋状部の縁の少なくとも一部は曲線状に形成されていることを特徴とする食事用手袋である。
【０００８】
請求項３の発明は、請求項１または２に記載した食事用手袋において、連繋部は袋状部どうしが互いに重なる状態に折り曲げられて、二つの袋状部は挿入口の形成された部位以外の縁部分どうしが容易に剥離できる状態で接着されていることを特徴とする食事用手袋である。
【０００９】
請求項４の発明は、請求項１から３のいずれかに記載した食事用手袋において、連繋部に切り欠きが形成されていることを特徴とする食事用手袋である。
【００１０】
請求項５の発明は、請求項１から４のいずれかに記載した食事用手袋において、袋状部には折り目をいれるための折り目用目印が設けられていることを特徴とする食事用手袋である。
【００１１】
請求項６の発明は、請求項１から５のいずれかに記載した食事用手袋において、袋状部には通気孔が形成されていることを特徴とする食事用手袋である。
【００１２】
請求項７の発明は、請求項１から６のいずれかに記載した食事用手袋において、袋状部の内部には表シートと裏シートの一部を連結するシール部が形成されていることを特徴とする食事用手袋である。
【００１３】
請求項８の発明は、請求項１から７のいずれかに記載した食事用手袋において、袋状部は先端部へいくに従って幅寸法が小さくなる先細り形状に形成されていることを特徴とする食事用手袋である。
【００１４】
請求項９の発明は、請求項１から８のいずれかに記載した食事用手袋において、連繋部に破断用の弱化線が形成されていることを特徴とする食事用手袋である。
【００１５】
請求項１０の発明は、請求項１から９のいずれかに記載した食事用手袋において、袋状部と連繋部を横断する破断用の弱化線が形成され、且つ前記袋状部に形成された弱化線の周辺にシール部が形成されており、前記袋状部を弱化線で破断しても破断部分で開放されず封止された状態となることを特徴とする食事用手袋である。
【００１６】
請求項１１の発明は、請求項１から１０のいずれかに記載した食事用手袋において、連繋部には、連繋部の一部を破断するときに破断進行方向の途中に位置し、破断を止める孔が形成されていることを特徴とする食事用手袋である。
【００１７】
請求項１２の発明は、請求項１から１１のいずれかに記載した食事用手袋において、袋状部にはマチが形成されていることを特徴とする食事用手袋である。
【００１８】
請求項１３の発明は、請求項１から１２のいずれかに記載した食事用手袋において、袋状部に指を入れて連繋部を折り曲げたとき互いに対向する袋状部の対向面を耐油性の材料によって構成したことを特徴とする食事用手袋である。
【発明の効果】
【００１９】
本発明の食事用手袋は容易に着脱することができる。また、装着しても違和感なく食事をすることができ、手が蒸れるのも防止することができる。またコストを安く抑えることができるので、使い捨てすることが可能となる。
【図面の簡単な説明】
【００２０】
【図１】本発明の実施の形態１に係る食事用手袋の正面図である。
【図２】図１の食事用手袋の使用する状態を説明するための図である。
【図３】本発明の実施の形態２に係る食事用手袋の正面図である。
【図４】図３の食事用手袋の使用する状態を説明するための図である。
【図５】本発明の実施の形態３に係る食事用手袋の斜視図である。
【図６】図５の食事用手袋の接着された部分を剥離して使用する状態を説明するための図である。
【図７】本発明の実施の形態４に係る食事用手袋の斜視図である。
【図８】本発明の実施の形態５に係る食事用手袋の斜視図である。
【図９】図５の食事用手袋のＡ−Ａ断面図である。
【図１０】本発明の実施の形態６に係る食事用手袋の正面図である。
【図１１】図１０の食事用手袋の使用する状態を説明するための図である。
【図１２】本発明の実施の形態７に係る食事用手袋の正面図である。
【図１３】本発明の実施の形態８に係る食事用手袋の正面図である。
【図１４】図１３の食事用手袋の使用する状態を説明するための図である。
【図１５】本発明の実施の形態９に係る食事用手袋の正面図である。
【図１６】図１５の食事用手袋の使用する状態を説明するための図である。
【図１７】本発明の実施の形態１０に係る食事用手袋の正面図である。
【図１８】本発明の実施の形態１１に係る食事用手袋の斜視図である。
【発明を実施するための形態】
【００２１】
本発明の実施の形態１に係る食事用手袋１を図１、図２にしたがって説明する。
図１において符号３は連繋部を示し、この連繋部３を挟んで左右両側には袋状部５、７がそれぞれ設けられている。食事用手袋１は連繋部３を中心として線対称となる構造である。
この連繋部３の左右には、袋状部５、７を構成する裏シート５ａ、７ａが連繋部３に連続して設けられている。更に、裏シート５ａ、７ａの左右の端部には折り曲げ部５ｂ、７ｂが形成されており、裏シート５ａ、７ａに重なる表シート５ｃ、７ｃが設けられている。表シート５ｃ、７ｃは薄紙としてのナプキン紙によって構成され、裏シート５ａ、７ａは薄紙としての和紙によって構成されている。また裏シート５ａ、７ａは非フッ素系耐油紙であり、耐油性を有している。
【００２２】
裏シート５ａと表シート５ｃ、裏シート７ａと表シート７ｃの上下の端部はそれぞれ溶着されてシール部５ｄ、７ｄが形成され、袋状部５、７が形成されている。そして袋状部５の右端部、袋状部７の左端部には指の挿入口５ｅ、７ｅが形成されており、挿入口５ｅと挿入口７ｅは間隔をあけて互いに対向している。袋状部５、７は余裕をもって指を入れることができるサイズとなっている。
【００２３】
袋状部５、７は、その外側の角部分が切り落とされており、その切られた部分の縁が曲線状に形成されている。このように角部分を切り落とすことによってシール部５ｄ、７ｄの一部が除かれているので、この部分に通気孔９が形成されている。従って、通気孔９から袋状部５、７内へ空気が流入するようになっている。
連繋部３の上下の端部には半楕円形の切り欠き１１がそれぞれ形成されている。
上記したように食事用手袋１は薄紙によって構成されているためコストが安く、使い捨てにすることが可能である。
【００２４】
次に、食事用手袋１の使用方法を説明する。
連繋部３を折り曲げて、袋状部５へ親指を入れ、袋状部７へ親指以外の指を入れて、食事用手袋１が手に装着する（図２参照）。そして、食事用手袋１が装着された手でフライドチキン等の食品を持つ。手は袋状部５、７が被っているので、裏シート５ａと裏シート７ａが食品に接触する。即ち、食品は袋状部５、７の対向面である裏シート５ａと裏シート７ａとによって挟まれているので、油等が手に付いてしまうのを防止することができる。特にこの食事用手袋１は耐油性の薄紙によって構成されているので、油が透過することはなく、油脂を多く含むフライドチキン等を持っても手に油が付くのを完全に防止することができる。
食事用手袋１は袋状部５、７に指だけを入れて手全体をすっぽり覆うものではなく、指だけを袋状部５、７に余裕をもって入れて装着するものなので、きわめて容易に着脱することが可能である。
【００２５】
食事用手袋１は指だけを覆い、手の甲の部分は殆ど露出しており、更に食事用手袋１は通気孔９から袋状部５、７内へ空気が流入するようになっている。従って、食事用手袋１を装着しても手が蒸れるのを防止することが可能である。
また、食事用手袋１は指だけを覆い、しかも薄紙で構成されている簡易的なものなので、この食事用手袋１をファーストフード店等で装着して食事をしても装着感、見た目において違和感が全くない。
【００２６】
実施の形態２に係る食事用手袋２１を図３、図４にしたがって説明する。
食事用手袋２１は、食事用手袋１と同様の構成部分を有するので、食事用手袋１と同様の構成部分については、同じ符号を付すことで説明を省略する。また実施の形態３以降についても同様とする。
袋状部５の表シート５ｃには二本の目印線２３ａ、２３ｂが設けられており、袋状部７の表シート７ｃには二本の目印線２５ａ、２５ｂが設けられている。
折り目用目印は目印線２３ａ、２３ｂ、２５ａ、２５ｂによって構成されている。
【００２７】
二本の目印線２３ａ、２３ｂは互いに平行で、目印線２３ａはシール部５ｄと折り曲げ部５ｂとを結ぶ傾斜線となっており、目印線２３ｂは挿入口５ｅ側の端部と折り曲げ部５ｂとを結ぶ傾斜線となっている。また、二本の目印線２５ａ、２５ｂも互いに平行で、目印線２５ａはシール部７ｄと折り曲げ部７ｂとを結ぶ傾斜線となっており、目印線２５ｂは挿入口７ｅ側の端部と折り曲げ部７ｂとを結ぶ傾斜線となっている。
【００２８】
次に、食事用手袋２１の使用方法を説明する。
図４に示すように袋状部５を表シート５ｃが重なる方向へ折り曲げて、目印線２３ａのところに折り目を入れ、また袋状部７を表シート７ｃが重なる方向へ折り曲げて、目印線２５ａのところに折り目を入れる。これにより袋状部５、７の折り曲げた部分が傾斜辺となる。そして折り曲げた部分を下側にして、食事用手袋２１を手に装着する。
また、手が小さい場合には目印線２３ｂ、２５ｂのところに折り目をいれる。
上記のように食事用手袋２１は、袋状部５、７を折り曲げ状態にすることで袋状部５、７の折り曲げた部分が傾斜辺となるため、より容易に食品を掴むことができる。
【００２９】
実施の形態３に係る食事用手袋３１を図５、図６にしたがって説明する。
連繋部３は袋状部５の裏シート５ａと袋状部７の裏シート７ａが互いに重なる状態に折り曲げられている。図５において二つの袋状部５、７の左右の縁部分どうしが容易に剥離できる状態で接着されている。なお折り曲げ部５ｂ、７ｂの形成された部位の縁部分どうし、挿入口５ｅ、７ｅの形成された部位の縁部分どうしは接着されていない。以下、この状態を一方開き状態ということにする。
【００３０】
次に、食事用手袋３１の使用方法を説明する。
食事用手袋３１が一方開き状態になっているときは、連繋部３と二つの袋状部５、７とによって袋が構成されており、この袋にフライドチキンＣを入れる。このように食事用手袋３１はフライドチキンＣ等の食品を入れるための袋として用いることができる。また、このままの状態でフライドチキンＣを食べることも可能である。
一方側の接着された縁部分どうしを剥離して食事用手袋３１を二方開き状態にして、食事用手袋３１を手に装着する。これにより図６に示すように例えばドーナツＤを掴んで食べることができる。
また、両側の接着された縁部分どうしをそれぞれ剥離して食事用手袋３１を三方開き状態にする。これにより、食事用手袋３１は実施の形態１で説明した食事用手袋１と同じ形状になり、食事用手袋１と同様に用いることができる。
【００３１】
実施の形態４に係る食事用手袋４１を図７にしたがって説明する。
連繋部３を挟んで左右両側には袋状部４５、４７がそれぞれ設けられている。
袋状部４５、４７は、実施の形態１と異なり、その角部分を切り落とさないで矩形に形成されている。
袋状部４５の表シート５ｃ、袋状部４７の表シート７ｃには多数の通気孔４９が形成されている。従って、通気孔４９から袋状部４５、４７内へ空気が流入するようになっている。
このように食事用手袋４１は通気孔４９から袋状部４５、４７内へ空気が流入するようになっているため、食事用手袋４１を手に装着しても蒸れるのを防止することができる。
【００３２】
実施の形態５に係る食事用手袋５１を図８、図９にしたがって説明する。
連繋部３を挟んで左右両側には袋状部５５、５７がそれぞれ設けられており、袋状部５５、５７は矩形に形成されている。
袋状部５５の内部には表シート５ｃと裏シート５ａの略中央部分を連結するシール部５３が形成されている。このシール部５３によって袋状部５５の内部が区切られている。
上記のように袋状部５５の内部が区切られているため、袋状部５５に入れた親指を動かしたとき、親指だけが袋状部５５の内部で動いて袋状部５５が動かないということがなくなり、親指を袋状部５５と一体感をもって動かすことが可能となる。
【００３３】
実施の形態６に係る食事用手袋６１を図１０、図１１にしたがって説明する。
連繋部３を挟んで左右両側には袋状部６５、６７がそれぞれ設けられており、袋状部６５、６７はその下辺が傾斜しており、先端部へいくに従って幅寸法が小さくなる先細り形状に形成されている。
袋状部６５、６７は、その外側の角部分が切り落とされており、その切られた部分の縁が曲線状に形成されている。このように角部分を切り落とすことによって、この部分に通気孔６９が形成されている。従って、通気孔６９から袋状部６５、６７内へ空気が流入するようになっている。
食事用手袋６１は袋状部６５、６７の下辺が傾斜しているので、容易に食品を掴むことができる。
【００３４】
実施の形態７に係る食事用手袋７１を図１２にしたがって説明する。
符号７３は連繋部を示し、この連繋部７３の上端部には切り欠き７５が形成されている。切り欠き７５は切り欠き１１よりも深い寸法になっている。
上記のように連繋部７３には切り欠き１１よりも深い寸法の切り欠き７５が形成されているため、食事用手袋７１を装着したときに、切り欠き７５が形成された側の部分で大きく広げることが可能である。
【００３５】
実施の形態８に係る食事用手袋８１を図１３、図１４にしたがって説明する。
符号８３は連繋部を示し、この連繋部８３には４つの孔８９ａ、８９ｂ、８９ｃ、８９ｄが形成されており、これらの孔８９ａ、８９ｂ、８９ｃ、８９ｄは上下に間隔をあけて、直列に配置されている。
この連繋部８３を挟んで左右両側には袋状部８５、８７がそれぞれ設けられており、袋状部８５、８７は矩形に形成されている。
【００３６】
次に、食事用手袋８１の使用方法を説明する。
図１４に示すように連繋部８３の上端部の中央部分を、下方に向かって破断する。このとき孔８９ａは破断進行方向の途中に位置しているため、孔８９ａによって破断が停止させられる。次に連繋部８３の下端部の中央部分を、上方に向かって破断する。このとき孔８９ｄは破断進行方向の途中に位置しているため、孔８９ｄによって破断が停止させられる。更に連繋部８３を、上方に向かって破断する。このとき孔８９ｃも破断進行方向の途中に位置しているため、孔８９ｃによって破断が停止させられる。なお、連繋部８３のより中心近くまで破断したい場合には、孔８９ｂ、８９ｃに到達するまで破断する。
上記のように連繋部８３の上端部と下端部を途中まで破断することで、食事用手袋８１を装着したときに、親指と他の指の開き具合、即ち袋状部８５と袋状部８７との離れ（開き）具合を調節することができる。
【００３７】
実施の形態９に係る食事用手袋９１を図１５、図１６にしたがって説明する。
符号９３は連繋部を示し、この連繋部９３を挟んで左右両側には袋状部９５、９７がそれぞれ設けられており、袋状部９５、９７は矩形に形成されている。
符号９９、１０１はミシン目によって構成される破断用の弱化線を示し、弱化線９９は連繋部９３に形成されており、連繋部９３を縦断している。弱化線１０１は袋状部９５、９７、連繋部９３に形成されており、袋状部９５、９７と連繋部９３を横断している。
袋状部９５、９７に形成された弱化線１０１の上側部分と下側部分には、裏シート５ａと表シート５ｃ、裏シート７ａと表シート７ｃが溶着されてシール部９５ｄ、９７ｄが形成されている。
【００３８】
次に、食事用手袋９１の使用方法を説明する。
連繋部９３を弱化線９９で破断する。これにより食事用手袋９１は二分割される。そして袋状部９５、９７、連繋部９３を弱化線１０１で破断する。これにより食事用手袋９１は四分割される。
このように袋状部９５、９７を弱化線１０１で破断しても、弱化線１０１の上側部分と下側部分にはシール部９５ｄ、９７ｄが形成されているため、分割された袋状部９５、９７は、その破断部分で開放されず封止された状態となっている。
そして、分割された食事用手袋９１の袋状部９５、９７にそれぞれ指を入れる。
【００３９】
また、連繋部９３を弱化線９９で破断せずに、袋状部９５、９７、連繋部９３を弱化線１０１で破断する。これにより食事用手袋９１は上下に二分割される。そして分割された食事用手袋９１の一方側の袋状部９５、９７に親指、人差し指を入れる。
上記のように食事用手袋９１は四分割又は二分割にして用いることができる。
【００４０】
実施の形態１０に係る食事用手袋１０２を図１７にしたがって説明する。
符号１０３は連繋部を示し、この連繋部１０３を挟んで左右両側には袋状部１０５、１０７がそれぞれ設けられており、袋状部１０５、１０７は矩形に形成されている。
袋状部１０７には弱化線１０１が形成されており、この弱化線１０１は袋状部１０７の上端部から全高の約三分の一、下がった位置に形成されている。弱化線１０１は袋状部１０７の右端から、袋状部１０７の左端近傍まで延びている。弱化線１０１の周辺部分には、裏シート７ａと表シート７ｃが溶着されて形成されたシール部９７ｄが設けられている。上側のシール部７ｄとシール部９７ｄとの間の領域が人差し指挿入部１０９となっている。
【００４１】
次に、食事用手袋１０２の使用方法を説明する。
袋状部１０７を弱化線１０１で破断する。そして、食事用手袋１０２の袋状部１０５、１０７にそれぞれ指を入れる。このとき人差し指を人差し指挿入部１０９へ入れる。
上記のように袋状部１０７を弱化線１０１で破断するため、人差し指を大きく広げることができる。従って、親指と人差し指だけで小さな食品等を摘むこともでき、使い勝手が向上する。
【００４２】
実施の形態１１に係る食事用手袋１１０を図１８にしたがって説明する。
連繋部３を挟んで左右両側には袋状部１１５、１１７がそれぞれ設けられており、袋状部１１５、１１７は矩形に形成されている。
袋状部１１５、１１７の折り曲げ部５ｂ、７ｂにはマチ１１９、１２１が形成されている。従って、このマチ１１９、１２１を広げることによって袋状部１１５、１１７の内部空間を広げることができる。
【００４３】
以上、本発明の実施の形態について詳述してきたが、具体的構成は、この実施の形態に限られるものではなく、本発明の要旨を逸脱しない範囲における設計の変更などがあっても発明に含まれる。
実施の形態２では、折り目用目印を目印線２３ａ、２３ｂ、２５ａ、２５ｂによって構成し、袋状部５の表シート５ｃに二本の目印線２３ａ、２３ｂを設け、袋状部７の表シート７ｃに二本の目印線２５ａ、２５ｂを設けたが、目印線の本数は適宜変更してもよい。また、二本の目印線２３ａ、２３ｂ（２５ａ、２５ｂ）を互いに平行に構成したが、平行でなくてもよい。
また、袋状部５、７を折り曲げ状態に保持する保持手段を設けてもよい。例えば、表シート５ｃ、７ｃに粘着シールを設ける。この粘着シールによって袋状部５、７が折り曲げ状態に保持されるため、使用感が向上する。
【００４４】
実施の形態５では、一方の袋状部の内部に表シートと裏シートを連結するシール部を形成したが、他方の袋状部の内部にも表シートと裏シートを連結するシール部を形成してもよい。また袋状部の内部にシール部を複数形成してもよい。
実施の形態８では、連繋部８３に４つの孔８９ａ、８９ｂ、８９ｃ、８９ｄを形成したが、孔を３つ以下又は５つ以上形成してもよい。
実施の形態９では、食事用手袋９１を四分割できる構成にしたが、分割できる数を変更してもよい。また食事用手袋９１を四分割又は二分割にして用いたが、分割しないで用いてもよい。
実施の形態１１では、マチの数を袋状部１１５、１１７にそれぞれ１つずつとしたが、マチを複数設けてもよく、またマチの形成箇所は適宜変更してもよいのは勿論である。例えばマチを袋状部５、７の表シート５ｃ、７ｃに形成してもよい。
本発明の食事用手袋１は、１枚の薄紙によって構成してもよく、また複数枚の薄紙を接合して構成してもよい。
また、上記実施の形態に示したナプキン紙、和紙以外の材料によって構成してもよい。
【産業上の利用可能性】
【００４５】
本発明は、使い捨てする食事用手袋を製造する製造業に利用可能である。
【符号の説明】
【００４６】
１…食事用手袋      ３…連繋部      ５、７…袋状部
５ａ、７ａ…裏シート      ５ｂ、７ｂ…折り曲げ部
５ｃ、７ｃ…表シート      ５ｄ、７ｄ…シール部      ５ｅ、７ｅ…挿入口
９…通気孔      １１…切り欠き
２１…食事用手袋      ２３ａ、２３ｂ、２５ａ、２５ｂ…目印線
３１…食事用手袋
４１…食事用手袋      ４５、４７…袋状部      ４９…通気孔
５１…食事用手袋      ５３…シール部      ５５、５７…袋状部
６１…食事用手袋      ６５、６７…袋状部      ６９…通気孔
７１…食事用手袋      ７３…連繋部      ７５…切り欠き
８１…食事用手袋      ８３…連繋部
８５、８７…袋状部      ８９ａ、８９ｂ、８９ｃ、８９ｄ…孔
９１…食事用手袋      ９３…連繋部      ９５，９７…袋状部
９９…弱化線      １０１…弱化線
９５ｄ、９７ｄ…シール部
１０２…食事用手袋      １０３…連繋部      １０５、１０７…袋状部
１０９…人差し指挿入部
１１０…食事用手袋      １１５、１１７…袋状部      １１９、１２１…マチ
Ｃ…フライドチキン      Ｄ…ドーナツ
【図１】
2010270422.tif 000003
【図２】
2010270422.tif 000004
【図３】
2010270422.tif 000005
【図４】
2010270422.tif 000006
【図５】
2010270422.tif 000007
【図６】
2010270422.tif 000008
【図７】
2010270422.tif 000009
【図８】
2010270422.tif 000010
【図９】
2010270422.tif 000011
【図１０】
2010270422.tif 000012
【図１１】
2010270422.tif 000013
【図１２】
2010270422.tif 000014
【図１３】
2010270422.tif 000015
【図１４】
2010270422.tif 000016
【図１５】
2010270422.tif 000017
【図１６】
2010270422.tif 000018
【図１７】
2010270422.tif 000019
【図１８】
2010270422.tif 000020